(57)【要約】【課題】  タイル保持レールを１本毎に墨出しすることが不要になることにより、タイル保持レールの設置作業が従来に比べ格段に容易になるとともに、躯体壁面の角部に対しても、角部専用のタイルを用いることなく、通常のタイルを用いて他の部分と同様にタイル保持レールに保持でき、しかもタイルをタイル保持レールに対してそのどこであっても同様に外すことが可能であり、またタイル自体の強度も充分に確保できるようにする。【解決手段】  タイル保持レール１の横長基板２の上下辺縁に、互いに上下対称の断面形状となる上下の挟持片３・４を、上下それぞれ横長基板の長さ方向に間隔をおいて複数ずつ一体的に突設する。各タイル６には、その上下面に上下の嵌合溝７・８を形成する。これら上下の嵌合溝７・８に上下の挟持片３・４を嵌合させて各タイル６をタイル保持レール１に保持する。【選択図】  図１
2005113386.tif 000002
【特許請求の範囲】
【請求項１】
横長のタイル保持レールにタイルを配列保持するタイル壁構造において、前記タイル保持レールの横長基板の上下辺縁に、互いに上下対称の断面形状となる上下の挟持片を、上下それぞれ横長基板の長さ方向に間隔をおいて複数ずつ一体的に突設し、各タイルには、その上下面に上下の嵌合溝を形成し、これら上下の嵌合溝に前記上下の挟持片を嵌合させて各タイルをタイル保持レールに保持したことを特徴とするタイル壁構造。
【請求項２】
タイル保持レールの横長基板の上下の幅員は、タイルの上下の幅員よりも大きく、上下の挟持片と各タイルの上下の嵌合溝との嵌合は、タイル保持レールの横長基板の上下の幅員の範囲内で行われることを特徴とする請求項１に記載のタイル壁構造。
【請求項３】
タイル支持レールが金属板で成形され、上下の挟持片は、該金属板の上下辺縁の突部を上下対称に折曲して形成されていることを特徴とする請求項１又は２に記載のタイル壁構造。
【請求項４】
上下の挟持片は、横長基板の長さ方向に互いに食い違う位置関係になっていることを特徴とする請求項１、２又は３に記載のタイル壁構造。
【請求項５】
上下の挟持片の上下対称の断面形状及び上下の嵌合溝の断面形状がＶ形であることを特徴とする請求項１、２、３又は４に記載のタイル壁構造。
【請求項６】
タイル保持レールの横長基板に凸条を形成したことを特徴とする請求項１、２、３、４又は５に記載のタイル壁構造。
【請求項７】
複数のタイル保持レールが、互いの横長基板の上下辺縁を上下に重ねて躯体に平行に配設され、各タイル保持レールについてタイルが保持されていることを特徴とする請求項１、２、３、４、５又は６に記載のタイル壁構造。
【請求項８】
タイル保持レール同士のタイル間に形成される目地間隙に目地材を充填して、上下の挟持片を目地材に埋設したことを特徴とする請求項７に記載のタイル壁構造。
【請求項９】
横長のタイル保持レールにタイルを配列保持するタイル壁の施工法において、前記タイル保持レールとして、横長基板の上下辺縁に、互いに上下対称の断面形状となる上下の挟持片を、上下それぞれ横長基板の長さ方向に間隔をおいて複数ずつ一体的に突設したものを使用し、各タイルには、その上下面に上下の嵌合溝を形成しておき、これら上下の嵌合溝に前記上下の挟持片を嵌合させて各タイルをタイル保持レールに保持することを特徴とするタイル壁の施工法。
【請求項１０】
複数のタイル保持レールを、互いの横長基板を上下に重ねて躯体に平行に配設し、各タイル保持レールについてタイルを保持することを特徴とする請求項９に記載のタイル壁の施工法。
【請求項１１】
タイル保持レール同士のタイル間に形成される目地間隙に目地材を充填して、上下の挟持片を目地材に埋設することを特徴とする請求項１０に記載のタイル壁の施工法。
【発明の詳細な説明】
【技術分野】
【０００１】
本発明は、横長のタイル保持金具であるタイル保持レールを用いてこれにタイル（レンガを含む）を配列保持するタイル壁構造とその施工法に関する。
【背景技術】
【０００２】
従来のこの種のタイル壁は、例えば特許文献１（特開平９−１０５２２０号公報）や特許文献２（特開２００３−１７２０１２号公報）に記載されているように、タイルの裏面の全長に断面台形の嵌合凹部（いわゆる蟻溝）を形成し、この嵌合凹部をタイル保持レールの全長にわたる凸部に嵌合させて、タイルをタイル保持レールに保持するのが一般的であった。
【０００３】
しかし、このような構造では次のような問題点があった。
（１）タイルは、その裏面全長に形成した断面台形の嵌合凹部をタイル保持レールの凸部に嵌合させてタイル保持レールに保持するため、タイルの上下の幅員をタイル保持レールの上下の幅員よりも大きくせざるを得ない。そのため、タイル保持レール同士を建物の躯体に平行に配設する場合、上下のタイル保持レールの間に隙間ができるようにタイル保持レール同士を互いに上下に離さなければならない。その結果、タイル保持レールを１本毎に墨出しする（位置決めするための基準線を施す）必要があり、煩雑でタイル保持レールの設置作業に多くの手間と時間を要する。
【０００４】
（２）タイルの裏面の嵌合凹部はタイルの左右両端においても、断面台形のまま開口しているため、躯体壁面の角部（コーナー）においてタイルをそのままタイル保持レールに保持すると、嵌合凹部の開口面が露呈するため、タイル保持レールは躯体壁面の角部の手前で留め、躯体壁面の角部に対しては、角部専用のタイル（コーナータイル）を用い、しかもタイル保持レールによらない接着等の別の保持手段でタイルを保持する必要があった。
【０００５】
（３）タイルの裏面の嵌合凹部は断面台形で、タイル保持レールの凸部はタイル保持レールの全長にわたっているため、タイルの嵌合凹部をタイル保持レールの凸部に嵌合させた後は、手直し等のためにタイルをタイル保持レールの中途で外すことは困難である。
【０００６】
（４）タイルの断面厚さが、断面台形の嵌合凹部を形成した分だけ薄くなり、それだけ強度が弱くなる。
【特許文献１】特開平９−１０５２２０号公報
【特許文献２】特開２００３−１７２０１２号公報
【発明の開示】
【発明が解決しようとする課題】
【０００７】
本発明の課題は、上述した従来における問題点を解決し、タイル保持レール同士を互いに上下に離さずに、上下に重ねた状態で躯体に配設することが可能で、タイル保持レールを１本毎に墨出しすることが不要になることにより、タイル保持レールの設置作業が従来に比べ格段に容易になるとともに、躯体壁面の角部に対しても、角部専用のタイルを用いることなく、通常のタイルを用いて他の部分と同様にタイル保持レールに保持でき、しかもタイルをタイル保持レールに対してそのどこであっても同様に外すことが可能であり、またタイル自体の強度も充分に確保できるタイル壁構造とその施工法を提供することにある。
【課題を解決するための手段】
【０００８】
本発明によるタイル壁構造は、タイル保持レールの横長基板の上下辺縁に、互いに上下対称の断面形状となる上下の挟持片を、上下それぞれ横長基板の長さ方向に間隔をおいて複数ずつ一体的に突設し、各タイルには、その上下面に上下の嵌合溝を形成し、これら上下の嵌合溝に上下の挟持片を嵌合させて各タイルをタイル保持レールに保持した構造となっている。
【０００９】
その好ましい具体的形態は次のとおりである。
タイル保持レールの横長基板の上下の幅員は、タイルの上下の幅員よりも大きく、上下の挟持片と各タイルの上下の嵌合溝との嵌合は、タイル保持レールの横長基板の上下の幅員の範囲内で行われる。
【００１０】
タイル支持レールが金属板で成形され、上下の挟持片は、該金属板の上下辺縁の突部を上下対称に折曲して形成されている。
【００１１】
上下の挟持片は、横長基板の長さ方向に互いに食い違う位置関係とする。
上下の挟持片の上下対称の断面形状及び上下の嵌合溝の断面形状はＶ形が好ましいが、Ｕ形やＣ形やΩ形や台形や矩形などでもよい。
タイル保持レールの横長基板には凸条を形成するとよい。
【００１２】
複数のタイル保持レールが、互いの横長基板の上下辺縁を上下に重ねて躯体に平行に配設され、各タイル保持レールについてタイルが保持されている。
タイル保持レール同士のタイル間に形成される目地間隙に目地材を充填して、上下の挟持片を目地材に埋設する。
【００１３】
本発明のタイル壁の施工法は、タイル保持レールとして、横長基板の上下辺縁に、互いに上下対称の断面形状となる上下の挟持片を、上下それぞれ横長基板の長さ方向に間隔をおいて複数ずつ一体的に突設したものを使用し、各タイルには、その上下面に上下の嵌合溝を形成しておき、これら上下の嵌合溝に上下の挟持片を嵌合させて各タイルをタイル保持レールに保持する。
【発明の効果】
【００１４】
本発明によれば次のような効果がある。
（１）タイル保持レールの横長基板の上下辺縁に突設した上下対称の断面形状の上下の挟持片を、タイルの上下面の嵌合溝に嵌合させてタイルを挟持するので、タイルの上下の幅員をタイル保持レールの上下の幅員よりも小さくすることができるため、タイル保持レール同士を互いに上下に離さずに、上下に重ねた状態で躯体に配設することが可能で、タイル保持レールを１本毎に墨出しすることが不要になることにより、タイル保持レールの設置作業が従来に比べ格段に容易になる。
（２）上記のように上下の挟持片でタイルを上下から挟持してタイル保持レールに保持するので、タイルをタイル保持レールに対してそのどこであっても同様に外すことが可能である。
（３）タイルの裏面は凹部が無い平坦面となるので、躯体壁面の角部に対しても、角部専用のタイルを用いることなく、通常のタイルを用いて他の部分と同様にタイル保持レールに保持できとともに、タイル自体の強度も充分に確保できる。
（４）上下の挟持片を、横長基板の長さ方向に互いに食い違う位置関係とすれば、タイルの長さ（左右長さ）が異なっても同等の条件で挟持できるとともに、挟持片の数を減らすことができる。
（５）上下の挟持片の上下対称の断面形状及び上下の嵌合溝の断面形状をＶ形にすれば、タイルの保持が確実になる。
【発明を実施するための最良の形態】
【００１５】
次に、本発明の好ましい実施例を図面に基づいて詳細に説明する。
【実施例】
【００１６】
先ず、本発明において使用するタイル保持レールから説明する。
図１及び図２に一枚のタイル保持レールを示す。タイル保持レール１は一枚の横長金属板で作られ、横長基板２の上下辺縁に、互いに上下対称の断面形状となる上下の挟持片３・４を、上下それぞれ横長基板２の長さ方向（左右）に間隔をおいて複数ずつ一体的に前側に突設している。本例の場合、上下の挟持片３・４の上下対称の断面形状はＶ、つまり上側の挟持片３は断面Ｖ形であるのに対し、下側の挟持片４は断面逆Ｖ形になっている。これら上下の挟持片３・４は、横長金属板の上下辺縁に一体に突設された矩形の突部を、図２（Ａ）に示すように、バネ性を与えるために上下辺縁で前側へ直角に折曲したうえ、更にその先をＶ形に屈曲して形成されており、上下の挟持片３・４の屈曲部分の上下の間隔Ｗ１は、横長基板２の上下の幅員Ｗ２よりも狭く（Ｗ１＜Ｗ２）なっている。また、上下の挟持片３・４の左右の間隔は上下それぞれ等間隔であるが、上側の挟持片３と下側の挟持片４とでは、図２（Ｂ）に示すように左右にずれた位置関係になっている。
【００１７】
タイル保持レール１の横長基板２には、前側に突出する台形断面の２本の凸条５が全長に平行に折曲形成されている。これら凸条５は横長基板２を補強するとともに、それらの間の部分５ａでタイル保持レール１をビス等で固定すべきことを示す。
【００１８】
次に、本発明において使用するタイルについて説明する。
図３及び図４に１個のタイルを示す。タイル６は全体として横長矩形で、その表面６ａと裏面６ｂは凹部の無い平坦面となっているが、上下面６ｃ・６ｄには上下の嵌合溝７・８が全長に形成されている。これら嵌合溝７・８は、タイル保持レール１の上下の挟持片３・４の断面に対応させて断面Ｖ形になっている。タイル６の後側の上下の角部６ｅ・６ｆは、上下の挟持片３・４の間に押し込み易いように、斜めにカットされている。
【００１９】
このようなタイル６は、図５に示すように、同じものが背合わせになるように互いの裏面の接続部９で接続して同時成型した後、接続部９で分離することにより、単純な金型で容易に製作できる。
【００２０】
次に、上記のようなタイル保持レール１とタイル６を用いて施工するタイル壁構造と、その施工手順について説明する。
【００２１】
図６及び図７に示すように、タイル保持レール１は、互いの横長基板２の上下辺縁を上下に重ねて建物躯体１０の壁面に平行に配列固定する。図６は、建物躯体１０の直角な２つの壁面に対して施工した例で、壁面角部の縦胴縁１１ａとこれに隣接する各壁面の縦胴縁１１ｂとに、ビス１２を用いてタイル保持レール１を固定した状態を表している。この場合、ビス１２は、２本の凸条５の間の部分５ａに孔を明けて縦胴縁１１ａ・１１ｂにねじ込む。
【００２２】
ここで、タイル保持レール１は、互いの横長基板２の上下辺縁を上下に重ねて躯体壁面に固定していくため、タイル保持レール１の上下の位置を決めるに当たり、その個々について墨出しをする必要はなく、例えば縦胴縁１１ａ・１１ｂに１本だけ基準線を施せばよい。
【００２３】
上述した従来例の場合、建物躯体１０の壁面角部には角部専用のタイル（コーナータイル）を用いざるを得なかったため、タイル保持レールを壁面角部まで延ばすことができなかったが、本発明では、図３及び図４に示したタイル６を建物躯体１０の壁面角部にも使用できることから、建物躯体１０の２つの壁面のタイル保持レール１を、壁面角部の縦胴縁１１ａまで延ばして端縁を互いに突き合わせる。従って、この場合もタイル保持レール１の長さ方向（左右）の墨出しが不要となる。
【００２４】
このようにタイル保持レール１を建物躯体１０の壁面に固定した後、図８及び図９に示すように、各タイル保持レール１について、その上下の挟持片３・４の間にタイル６を押し込み、各タイル６の上下の嵌合溝７・８に、上下それぞれ複数の挟持片３・４を嵌合させてこれらでタイル６を挟持する。ここで、上下の挟持片３・４は上下対称のＶ形断面、嵌合溝７・８はＶ形溝になっているため、嵌合後は不用意に外れにくいとともに、タイル６の裏面６ｂがタイル保持レール１の凸条５の表面に当接するので、各タイル６は安定した状態でタイル保持レール１に保持される。しかし、上下の挟持片３・４はバネ性があるため、手直しが必要なときには、外そうとするタイルの左右両側にタイルが既に保持されていても、タイル保持レール１から抜き取ることが可能である。
【００２５】
上記のように、上下の挟持片３・４の屈曲部分の上下の間隔Ｗ１は、横長基板２の上下の幅員Ｗ２よりも狭くなっているので、上下の挟持片３・４と各タイル６の上下の嵌合溝７・８との嵌合は、横長基板２の上下の幅員Ｗ２の範囲内で行われることになるため、上下に隣接するタイル保持レール１同士では、上下のタイル６間に目地間隙１３が形成される。
【００２６】
そこで、この目地間隙１３に目地材（図示せず）を充填して上下の挟持片３・４を目地材に埋設する。なお、タイル保持レール１上で左右に配列するタイル６間の目地間隙にも、目地材を充填する。
【００２７】
タイル６の上下の配置関係は図１０に示すような千鳥配置にする場合であっても、また図１１に示すような整列配置にする場合であっても、図３及び図４に示したタイル６を、建物躯体１０の壁面角部においてもタイル保持レール１に保持して、２つの壁面における最端のタイル６同士を壁面角部で交差させることができる。
【００２８】
上記の実施例におけるタイル保持レール１の寸法の一例を示すと次のとおりである。
タイル６の幅員を一般的なタイルと同様に６０ｍｍとしたとき、タイル保持レール１の幅員Ｗ２は、一般的な目地幅である１０ｍｍを合わせた７０ｍｍとする。また、上下の挟持片３・４の屈曲部分の上下の間隔Ｗ１は、タイル６の嵌合溝７・８の深さを３ｍｍとしたとき、５６ｍｍとする。各挟持片３・４の左右の幅員を２５ｍｍとしたとき、上下の挟持片３・４の上下それぞれの左右の間隔は３０ｍｍとする。
なお、タイル６は、予め異なる長さのものを製作しなくとも、切断することにより、現場に合わせた適宜の長さにできる。
【産業上の利用可能性】
【００２９】
以上、好ましい一実施例について説明したが、上下の挟持片３・４の断面形状と、タイル６の嵌合溝７・８の断面形状は、Ｖ形に限らず、Ｕ形やＣ形やΩ形や台形や矩形などでもよい。また、タイル保持レール１をビス１２を用いて縦胴縁１１ａ・１１ｂに固定したが、縦胴縁１１ａ・１１ｂを用いずに躯体壁面に直接固定してもよく、またビス１２の他に釘などの他の固定手段で固定してもよいこと勿論である。
【図面の簡単な説明】
【００３０】
【図１】本発明の実施例で用いるタイル保持レールとタイルの斜視図である。
【図２】（Ａ）はタイル保持レールの端面図、（Ｂ）はその正面図である。
【図３】タイルの斜視図である。
【図４】その断面図である。
【図５】同じものを背合わせになるように接続して同時成型したタイルの側面図である。
【図６】躯体壁面へのタイル保持レールの設置例を示す斜視図である。
【図７】その断面図である。
【図８】（Ａ）はタイル保持レールにタイルを保持した状態の端面図、（Ｂ）はその正面図である。
【図９】図６のように設置したタイル保持レールにタイルを保持したタイル壁構造の断面図である。
【図１０】タイルの上下の配置関係を千鳥配置にした場合のタイル壁構造の斜視図である。
【図１１】タイルの上下の配置関係を整列配置にした場合のタイル壁構造の斜視図である。
【符号の説明】
【００３１】
１  タイル保持レール
２  横長基板
３・４  上下の挟持片
５  凸条
５ａ  凸条の間の部分
６  タイル
６ａ・６ｂ・６ｃ・６ｄ・６ｅ・６ｆ  タイルの表面・裏面・上下面・角部
７・８  嵌合溝
９  接続部
１０  建物躯体
１１ａ・１１ｂ  縦胴縁
１２  ビス
１３  目地間隙
【図１】
2005113386.tif 000003
【図２】
2005113386.tif 000004
【図３】
2005113386.tif 000005
【図４】
2005113386.tif 000006
【図５】
2005113386.tif 000007
【図６】
2005113386.tif 000008
【図７】
2005113386.tif 000009
【図８】
2005113386.tif 000010
【図９】
2005113386.tif 000011
【図１０】
2005113386.tif 000012
【図１１】
2005113386.tif 000013